(57)【要約】【課題】従来のセキュア印刷可能な印刷装置では、ジョブ管理操作を可能とするためには、ユーザが自身の印刷ジョブを保存する印刷装置まで出向き、印刷装置のオペレーションパネルを直接操作して行う必要があり、不便であった。【解決手段】  セキュア印刷が可能なプリンタ装置１５０において、受信したセキュア印刷ジョブのセキュア印刷実施ユーザ情報に基づいて、このユーザ専用のＷｅｂページを作成して、このユーザのセキュア印刷ジョブの管理情報を載せるＷｅｂページ機能部１７０と、セキュア印刷ジョブを受信した際に、送信したセキュア印刷実施ユーザ専用のＷｅｂページアドレスを載せたＥ−ｍａｉｌをそのユーザ宛に送信するＥ−ｍａｉｌ送受信機能部１６０とを有し、Ｗｅｂページを開くにはログイン認証を必要とし、Ｗｅｂページは掲載した前記管理情報の内容を設定するジョブ管理操作を可能とする。【選択図】図１
2017042990.tif 000002
【特許請求の範囲】
【請求項１】
セキュア印刷が可能な画像形成装置において、
受信したセキュア印刷ジョブに含まれるセキュア印刷実施ユーザ情報に基づいて、管理するＷｅｂページの中に該セキュア印刷実施ユーザ専用のＷｅｂページが存在するか否かを判断し、すでに存在する場合にはその内容を更新し、まだ存在しない場合は新たに前記セキュア印刷実施ユーザ専用のＷｅｂページを作成して、該Ｗｅｂページに、前記画像形成装置が保存する前記セキュア印刷実施ユーザに対応するセキュア印刷ジョブの管理情報を載せるＷｅｂページ機能部と、
前記セキュア印刷ジョブを受信した際に、前記セキュア印刷実施ユーザ専用のＷｅｂページアドレスを載せたＥ−ｍａｉｌを前記セキュア印刷実施ユーザ宛に送信するＥ−ｍａｉｌ送信機能部と
を有し、
前記Ｗｅｂページを開くにはログイン認証を必要とし、前記Ｗｅｂページは掲載した前記管理情報の内容を設定するジョブ管理操作を可能とし、設定した内容に基づいて前記セキュア印刷ジョブを管理することを特徴とする画像形成装置。
【請求項２】
前記管理情報は、前記セキュア印刷実施ユーザに対応するセキュア印刷ジョブの、ドキュメント名、保存期間を含むことを特徴とする請求項１記載の画像形成装置。
【請求項３】
前記保存期間の保存期限が近い前記セキュア印刷ジョブが存在すると、
前記Ｅ−ｍａｉｌ送信機能部は、該セキュア印刷ジョブに対応するセキュア印刷実施ユーザのメールアドレスに該セキュア印刷実施ユーザ専用のＷｅｂページアドレスを載せた前記Ｅ−ｍａｉｌを送信し、
前記Ｗｅｂページ機能部は、前記保存期限が近い前記セキュア印刷ジョブの前記保存期間の変更を受容することを特徴とする請求項２記載の画像形成装置。
【請求項４】
エラーが発生した前記セキュア印刷ジョブが存在すると、
前記Ｅ−ｍａｉｌ送信機能部は、該セキュア印刷ジョブに対応するセキュア印刷実施ユーザのメールアドレスに該セキュア印刷実施ユーザ専用のＷｅｂページアドレスを載せた前記Ｅ−ｍａｉｌを送信し、
前記Ｗｅｂページ機能部は、前記エラーが発生したセキュア印刷ジョブのキャンセルを受容することを特徴とする請求項２記載の画像形成装置。
【請求項５】
ユーザＩＤ及びパスワードの入力を受けて前記ログイン認証を行い、認可した場合に前記セキュア印刷ジョブの管理情報を表示することを特徴とする請求項１乃至４の何れかに記載の画像形成装置。
【請求項６】
前記Ｅ−ｍａｉｌには、前記セキュア印刷ジョブを受信したこと、及び該セキュア印刷ジョブの管理方法を知らせる通知を掲載したことを特徴とする請求項１記載の画像形成装置。
【請求項７】
前記Ｅ−ｍａｉｌには、前記保存期限が近いセキュア印刷ジョブが存在すること、及び該セキュア印刷ジョブの管理方法を知らせる通知を掲載したことを特徴とする請求項３記載の画像形成装置。
【請求項８】
前記Ｅ−ｍａｉｌには、前記エラーが発生したセキュア印刷ジョブが存在すること、及び該セキュア印刷ジョブの管理方法を知らせる通知を掲載したことを特徴とする請求項４記載の画像形成装置。
【発明の詳細な説明】
【技術分野】
【０００１】
本発明は、認証印刷が可能な画像形成装置に関する。
【背景技術】
【０００２】
従来、認証印刷を要求したユーザ自身が、印刷ジョブを保存する印刷装置の所まで出向き、印刷装置のオペレーションパネルで、自身の印刷ジョブの印刷指示を印刷装置に指定する印刷システムがあった（例えば、特許文献１参照）。
【先行技術文献】
【特許文献】
【０００３】
【特許文献１】特開２０１５−３６２３９号公報（第９頁、図２）
【発明の概要】
【発明が解決しようとする課題】
【０００４】
上記したような印刷装置では、認証印刷を要求したユーザが、高いセキュリティレベルを維持した状態で、即ち認証印刷を要求したユーザのみによる、自身の印刷ジョブの保存期間の変更、キャンセル等のジョブ管理操作を可能とするためには、認証印刷を要求したユーザが自身の印刷ジョブを保存する印刷装置まで出向き、印刷装置のオペレーションパネルを直接操作して行う必要があり、不便であった。
【課題を解決するための手段】
【０００５】
本発明による画像形成装置は、セキュア印刷が可能な画像形成装置であって、
受信したセキュア印刷ジョブに含まれるセキュア印刷実施ユーザ情報に基づいて、管理するＷｅｂページの中に該セキュア印刷実施ユーザ専用のＷｅｂページが存在するか否かを判断し、すでに存在する場合にはその内容を更新し、まだ存在しない場合は新たに前記セキュア印刷実施ユーザ専用のＷｅｂページを作成して、該Ｗｅｂページに、前記画像形成装置が保存する前記セキュア印刷実施ユーザに対応するセキュア印刷ジョブの管理情報を載せるＷｅｂページ機能部と、前記セキュア印刷ジョブを受信した際に、前記セキュア印刷実施ユーザ専用のＷｅｂページアドレスを載せたＥ−ｍａｉｌを前記セキュア印刷実施ユーザ宛に送信するＥ−ｍａｉｌ送信機能部とを有し、
前記Ｗｅｂページを開くにはログイン認証を必要とし、前記Ｗｅｂページは掲載した前記管理情報の内容を設定するジョブ管理操作を可能とし、設定した内容に基づいて前記セキュア印刷ジョブを管理することを特徴とする。
【発明の効果】
【０００６】
本発明によれば、セキュア印刷を実行したセキュア印刷実施ユーザのみが、自席から離れた画像形成装置が保存する自身のセキュア印刷ジョブのジョブ管理操作を、画像形成装置から離れた、例えば自席のパソコンからセキュアな環境のもとで行う事が可能となる。
【図面の簡単な説明】
【０００７】
【図１】本発明に基づくプリンタ装置とＰＣの構成を示すブロック図であり、特に本発明に関わるセキュア印刷ジョブ管理システムの要部構成を機能内容別に示すブロック図である。
【図２】プリンタドライバの機能設定プロパティの表示画面を示す図である。
【図３】ユーザが、図２の機能設定プロパティの表示画面に示すヘルプボタンを押圧した際に起動するヘルプ表示機能画面を示す図である。
【図４】（ａ）はセキュア印刷ジョブをＰＣからプリンタ装置に送信した際の処理の流れを示し、（ｂ）は、プリンタ装置が保存管理するセキュア印刷ジョブの何れかが、保存期限が近づいた際に実施されるセキュア印刷ジョブ管理システムの処理の流れを示し、（ｃ）は、プリンタ装置が保存管理するセキュア印刷ジョブの中で、印刷ジョブエラーが発生した際に実施されるセキュア印刷ジョブ管理システムの処理の流れを示す。
【図５】セキュア印刷ジョブ受付メールの記述例を示す図である。
【図６】セキュア印刷ジョブ保存終了警告メールの記述例を示す図である。
【図７】セキュア印刷ジョブエラー発生確認メールの記述例を示す図である。
【図８】ログイン承認のためのログイン画面を示す図である。
【図９】ＰＣに表示されるセキュア印刷ジョブ管理Ｗｅｂページの一例を示す図である。
【図１０】ＰＣに表示されるセキュア印刷ジョブ管理Ｗｅｂページで、ダイアログボックスを開いたときの一例を示す図である。
【図１１】メールを受けたセキュア印刷実施ユーザが、専用のセキュア印刷ジョブ管理Ｗｅｂページにログインして自身のセキュア印刷ジョブ情報を表示するまでの処理の流れを示すシーケンス図である。
【図１２】メールを受けたセキュア印刷実施ユーザが、自身のセキュア印刷ジョブ情報を表示し、更にセキュア印刷ジョブ管理Ｗｅｂページ上でセキュア印刷ジョブ管理操作を行うまでの処理の流れを示すシーケンス図である。
【図１３】プリンタ装置において、指定されたセキュア印刷ジョブのキャンセルが実行される処理の流れを示すシーケンス図である。
【図１４】セキュア印刷ジョブ保存終了警告メールを受けたセキュア印刷実施ユーザが、専用のセキュア印刷ジョブ管理Ｗｅｂページにログインして自身のセキュア印刷ジョブの保存終了時刻を変更するためのセキュア印刷ジョブ管理操作を行うまでの処理の流れを示すシーケンス図である。
【図１５】印刷ジョブエラー発生確認メールを受けたセキュア印刷実施ユーザが、専用のセキュア印刷ジョブ管理Ｗｅｂページにログインして自身のセキュア印刷ジョブのエラー対策を施すためのセキュア印刷ジョブ管理操作を行うまでの処理の流れを示すシーケンス図である。
【発明を実施するための形態】
【０００８】
実施の形態１．
図１は、本発明に基づくプリンタ装置とパーソナルコンピュータ（以下、ＰＣと称す）の構成を示すブロック図であり、特に本発明に関わるセキュア印刷ジョブ管理システムの要部構成を機能内容別に示すブロック図である。
【０００９】
同図に示すように、ＰＣ１００は、アプリケーションソフトウェア（ＡＰ）１０１、プリンタドライバ１１０、オペレーティングシステム（ＯＳ）１２０を備えている。
【００１０】
アプリケーションソフトウェア１０１は、印刷設定部１０２と印刷描画部１０３を備え、ユーザが所望するデータの作成、プリンタドライバ１１０に対する印刷の指示及び設定を行うソフトウェアである。
【００１１】
プリンタドライバ１１０は、ドライバ設定部１１１、描画データ解析部１１２、描画データ生成部１１３、及び描画データ出力部１１４を備え、アプリケーションソフトウェア１０１によって作成されたデータを、プリンタ装置１５０が印刷可能なデータに変換する処理を行うソフトウェアである。またプリンタドライバ１１０は、アプリケーションソフトウェア１０１に対してプリンタ装置１５０の機能情報等を通知する。
【００１２】
オペレーティングシステム１２０は、パーソナルコンピュータの基本動作を司るソフトウェアであり、ＯＳカーネル制御部１２１、印刷制御エンジン（ＧＤＩ／ＤＤＩ）部１２２、プリントスプーラ１２３、Ｅ−ｍａｉｌアプリケーション１３０、及びＷｅｂブラウザアプリケーション１４０等を備え、ユーザが所望する結果を得る為にアプリケーションソフトウェア１０１やデバイスドライバであるプリンタドライバ１１０をはじめとする各種ソフトウェアの制御と連携付けを行なう。アプリケーションソフトウェア１０１及びプリンタドライバ１１０は、このオペレーティングシステム１２０のソフトウェア上で動作する。
【００１３】
Ｅ−ｍａｉｌアプリケーション１３０は、Ｅ−ｍａｉｌ受信管理部１３１、Ｅ−ｍａｉｌ送信管理部１３２、及びＥ−ｍａｉｌ内容編集制御部１３３を備え、例えばＷｉｎｄｏｗｓ  ＯＳ標準のＯｕｔｌｏｏｋ  Ｅｘｐｒｅｓｓ等に代表される電子メール送受信／編集アプリケーションソフトウェアである。
【００１４】
Ｗｅｂブラウザアプリケーション１４０は、Ｗｅｂ表示管理部１４１とＷｅｂアクセス管理部１４２を備え、例えば、Ｗｉｎｄｏｗｓ  ＯＳ標準のＩｎｔｅｒｎｅｔ  Ｅｘｐｌｏｒｅｒ等に代表されるＷｅｂページ参照アプリケーションソフトウェアである。
【００１５】
画像形成装置としてのプリンタ装置１５０は、データ受信部１５１、データ展開部１５２、印刷制御部１５３、Ｅ−ｍａｉｌ送受信機能部１６０、及びＷｅｂページ機能部１７０を備え、データ受信部１５１で受信した印刷可能なデータを基に印刷画像を生成し、印刷用紙に印刷する。
【００１６】
また、Ｅ−ｍａｉｌ送信機能部に相当するＥ−ｍａｉｌ送受信機能部１６０は、Ｅ−ｍａｉｌ内容編集制御部１６１及びＥ−ｍａｉｌ送受信管理部１６２を備えて後述するように作成したＥ−ｍａｉｌデータを送信し、Ｗｅｂページ機能部１７０は、Ｗｅｂページ表示管理部１７１、セキュア印刷管理部１７２、及びジョブ管理指示制御部１７３を備えて後述するようにＷｅｂページを作成する。このプリンタ装置１５０とＰＣ１００とは、ここでは、例えば社内ネットワークで接続されているものとする。
【００１７】
次に、ＰＣ１００及びプリンタ装置１５０による基本的（一般的）な印刷処理動作について、図１、図２を参照しながら説明する。図２は、プリンタドライバ１１０の機能設定プロパティの表示画面を示す図である。
【００１８】
ＰＣ１００では、アプリケーションソフトウェア１０１で作成されたデータが、ＷｉｎｄｏｗｓやＭａｃ  ＯＳに代表されるオペレーティングシステム１２０を経由してプリンタドライバ１１０に引き渡され、プリンタドライバ１１０によって、プリンタ装置１５０が解釈可能な印刷データへ変換される。更にこの印刷データは、後述するように、ユーザが所望する印刷結果となる様にプリンタドライバ１１０で設定される印刷設定情報と共に印刷ジョブとしてプリントスプーラ１２３に一旦保存された後、プリンタ装置１５０に送信される。
この時のＰＣ１００の各部によるデータ処理について更に説明する。
【００１９】
オペレーティングシステム１２０は、表示装置や印刷装置個々の仕様や機能に対応するデバイスドライバを利用する事で、アプリケーションソフトウェア１０１からの所望の内容の表示や印刷を実現している。ここでのプリンタドライバ１１０の場合は、所定のプロパティの表示指示操作によって、例えば図２に示す機能設定プロパティの表示画面が表示され、マウスなどのポインティングデバイスにより、表示されている各ドライバ設定項目の所定部をクリックする事で、アプリケーションソフトウェア１０１で指示された印刷において、ユーザが所望する印刷結果、例えば印刷品位、拡大・縮小等を指定する機能を提供する。
【００２０】
図２に示すように、プリンタドライバ１１０の機能設定プロパティ上には、プリンタドライバ機能を設定する「印刷品位」、「拡大・縮小」等の各設定項目とこれらに対応する数値設定等の設定入力欄が存在する。ここでの機能設定プロパティでは、ユーザに対して、上記したようなプリンタドライバ機能に対する設定値の選択機能と、ドライバ機能をユーザに説明するヘルプ表示機能が提供される。
【００２１】
図３は、ユーザが、図２の機能設定プロパティの表示画面に示すヘルプボタンを押圧した際に起動するヘルプ表示機能画面を示す図である。
【００２２】
同図に示すように、ヘルプ表示機能画面において、例えば目次の欄に一覧表示されるドライバ機能項目の各項目を選択することにより、選択した機能項目に関わる機能についての説明が表示されるため、ユーザは、各機能の内容を確認することができる。
【００２３】
従ってユーザは、オペレーティングシステム１２０にインストールされているアプリケーションソフトウェア１０１にて所望のユーザデータを作成し、プリンタ装置１５０にて印刷を行うが、その際、所望の印刷結果が得られる様、プリンタドライバ１１０のドライバ設定部１１１にて表示される機能設定プロパティ（図２）上の各設定項目に対応する設定値を、必要に応じて変更し設定する。
【００２４】
上記した印刷過程で、アプリケーションソフトウェア１０１は、印刷機能によって作成したユーザデータの印刷を指定し、ユーザデータを基にした印刷描画情報を含んだデータをオペレーティングシステム１２０へ引き渡す。このデータは、オペレーティングシステム１２０の印刷制御エンジン１２２に引き渡され、印刷描画要求データに変換された後、プリンタドライバ１１０へ引き渡される。プリンタドライバ１１０は、この印刷描画要求データを基に、プリンタ装置１５０が解釈可能な印刷コマンド（印刷データ）へ変換し、この印刷データを含む印刷ジョブとしてプリントスプーラ１２３へ引き渡す。
【００２５】
尚、印刷ジョブは、印刷データの他に、プリンタドライバ１１０によって設定された、機能設定プロパティ（図２）上の各設定項目に対応する設定値を、必要に応じて変更し設定した印刷設定情報を含む。
【００２６】
図２に示すプリンタドライバ１１０の機能設定プロパティには、印刷形式の設定項目に、「通常印刷」、「暗号化認証印刷」、「認証印刷」、「ＩＣカード認証印刷」、及び「プリンタに保存」といった設定項目が表示され選択するように設定されている。
【００２７】
「通常印刷」は、通常の印刷時に選択するモードで、このモードが選択された場合、アプリケーションソフトウェア１０１での印刷指示に基づいてＰＣ１００からプリンタ装置１５０に送られた印刷ジョブは、直ちに印刷出力される。一方、「暗号化認証印刷」、「認証印刷」、「ＩＣカード認証印刷」、及び「プリンタに保存」は、セキュア印刷時に選択するモードで、これらの何れかのモードが選択されるとセキュア印刷が設定される。
【００２８】
ここでいうセキュア印刷とは、アプリケーションソフトウェア１０１での印刷指示に基づいてＰＣ１０１からプリンタ装置１５０に印刷ジョブが送信された場合、プリンタ装置１５０は、その印刷ジョブの印刷を直ちに印刷せずに一旦メモリに保存し、その後にプリンタ装置１５０にて、ユーザ認証、ＩＣカード認証等が行われ、認証されたユーザの印刷指示を受けて、保持した印刷ジョブを印刷出力する印刷処理方法のこととする。またこの時プリンタ装置１５０が受信する印刷ジョブをセキュア印刷ジョブと称す場合がある。
【００２９】
次に、本発明によるセキュア印刷ジョブ管理システムについて説明する。
【００３０】
先ず、便宜的理由により、比較例として本発明によらないセキュア印刷について説明する。
【００３１】
ユーザが、オペレーティングシステム１２０にインストールされているアプリケーションソフトウェア１０１にて所望のユーザデータを作成し、比較例のプリンタ装置にてセキュア印刷を行うためには、個々のプリンタ装置に対応したデバイスドライバであるプリンタドライバ（図１ではプリンタドライバ１１０に相当する）を使用する必要が有る。
【００３２】
プリンタドライバを使用して、認証印刷、暗号化認証印刷、ＩＣカード認証印刷等(図２参照)のセキュアな印刷を実行した場合、プリンタ装置は、認証に基づく印刷指示を受けるまで、そのセキュア印刷ジョブを期限付きで一旦保存することになるが、この保存されているセキュア印刷ジョブに対して、セキュア印刷を実行したユーザが、その保存期間や、印刷の順番や、削除等のジョブ管理状態を変更したい場合がある。
【００３３】
このとき、セキュア印刷を実行したユーザは、プリンタ装置に対峙し、例えばそのオペレーションパネルで、ユーザ自身のユーザＩＤ及び指定パスワードを入力するか、或は自身のＩＣカードをかざすなどの認証を行うことにより、上記したジョブ管理状態を変更するセキュア印刷ジョブ管理操作を実行する事が可能となる。
【００３４】
一方、本発明によるプリンタ装置を備えたセキュア印刷ジョブ管理システムは、上記したセキュア印刷ジョブ管理操作を、例えばプリンタ装置から離れた自席のＰＣ等でリモート操作可能とするものであり、以下にその詳細について説明する。
【００３５】
図４は、本発明によるプリンタ装置を備えたセキュア印刷ジョブ管理システムにおける処理の流れを概略的に示すシーケンス図である。次に、図４を参照しながら本発明によるセキュア印刷ジョブ管理システムにおける基本的な処理の流れについて説明する。尚、同図中では（  ）内に処理番号を付す。
【００３６】
図４（ａ）は、セキュア印刷に基づいて、セキュア印刷ジョブをＰＣ１００からプリンタ装置１５０に送信した際の処理の流れを示し、図４（ｂ）は、プリンタ装置１５０が保存管理するセキュア印刷ジョブの何れかが、保存期限が近づいた際に実施されるセキュア印刷ジョブ管理システムの処理の流れを示し、図４（ｃ）は、プリンタ装置１５０が保存管理するセキュア印刷ジョブの中で、印刷ジョブエラーが発生した際に実施されるセキュア印刷ジョブ管理システムの処理の流れを示す。
【００３７】
先ず、図４（ａ）を参照しながら、セキュア印刷に基づくセキュア印刷ジョブをＰＣ１００からプリンタ装置１５０に送信した際のセキュア印刷ジョブ管理システムの動作について説明する。
【００３８】
ここでは、セキュア印刷を実行したユーザ（以後、セキュア印刷実施ユーザと称す）が、自身のＰＣ画面で、プリンタ装置１５０に対してネットワーク経由でリモートにセキュア印刷ジョブ管理操作を行うが、この場合、セキュア印刷実施ユーザのみが、対象となる自身のセキュア印刷ジョブ管理操作を可能するセキュアな環境が求められる。
【００３９】
プリンタドライバ１１０から出力されプリントスプーラ１２３に一旦保存されるセキュア印刷ジョブには、前記した印刷データ、印刷設定情報に加え、このセキュア印刷ジョブのユーザ情報（セキュア印刷実施ユーザＩＤ）が含まれる。ここでのセキュア印刷実施ユーザＩＤは、例えば、図２に示すプリンタドライバ１１０の機能設定プロパティにて、認証印刷、暗号化認証印刷、ＩＣカード認証印刷等のセキュア印刷を指定するのに付随して現れる、図示しないユーザＩＤ入力画面にて入力するものとする。
【００４０】
尚、図３のヘルプ表示機能画面で説明するように、暗号化認証印刷を指定した場合には、印刷データが暗号化され、ＩＣカード認証印刷を指定した場合には、プリンタ装置１５０に対峙して印刷指示を実行する際に、その操作パネルの所定位置にＩＣカードを掲げることにより印刷を指示する際の認証が行われる。
【００４１】
後述するようにＰＣ１００によって作成されたセキュア印刷ジョブが、ＰＣ１００からプリンタ装置１５０に送信されると（１８０．）、プリンタ装置１５０のデータ受信部１５１はこれを受信し（１９０．）、受信した印刷ジョブを保存部に保存すると共に、このセキュア印刷ジョブに含まれるセキュア印刷実施ユーザＩＤを基に、プリンタ装置１５０又はサーバ等のストレージに存在するセキュア印刷実施許可ユーザリストを検索し、セキュア印刷実施ユーザＩＤに対応するユーザ詳細情報（Ｅ−ｍａｉｌアドレス等含む）を読み出す。このため、プリンタ装置１５０は、予めセキュア印刷実施許可ユーザリストを作成し、各ユーザのＥ−ｍａｉｌアドレスを対応させて保存してあるものである。
【００４２】
そして、プリンタ装置１５０のＷｅｂページ機能部１７０は、今回受信したセキュア印刷ジョブのセキュア印刷実施ユーザＩＤを基に、このセキュア印刷実施ユーザに対応するセキュア印刷ジョブ管理Ｗｅｂページが存在するか否かを確認し、存在する場合はそのセキュア印刷ジョブ管理ＷｅｂページのアドレスをＥ−ｍａｉｌ送受信機能部１６０に渡し、存在しない場合は、新たにこのセキュア印刷実施ユーザに対応するセキュア印刷ジョブ管理Ｗｅｂページを作成し、そのセキュア印刷ジョブ管理ＷｅｂページのアドレスをＥ−ｍａｉｌ送受信機能部１６０に渡す。またＷｅｂページ機能部１７０は、後述するように、セキュア印刷ジョブが新たに保存されるのに伴って、該当するセキュア印刷実施ユーザのＷｅｂページの印刷ジョブリストに、新たに保存されたセキュア印刷ジョブの項目を追加する（１９１．）。  
【００４３】
プリンタ装置１５０のＥ−ｍａｉｌ送受信機能部１６０は、データ受信部１５１で読み出した、今回のセキュア印刷実施ユーザのＥ−ｍａｉｌアドレス宛に、セキュア印刷ジョブ受付メールを送信する（１９２．）。このセキュア印刷ジョブ受付メールには、セキュア印刷実施ユーザ専用となるセキュア印刷ジョブ管理Ｗｅｂページのアドレスが添付され、セキュア印刷ジョブを受信した旨のコメント、及びセキュア印刷ジョブ管理操作を行う場合は、添付したセキュア印刷ジョブ管理Ｗｅｂページアドレスにログインする旨のコメントが記載される。
【００４４】
図５は、この時のセキュア印刷ジョブ受付メールの記述例を示す図である。同図に示すように、このセキュア印刷ジョブ受付メールでは、
・セキュア印刷実施ユーザＩＤ：ａｂｃｄｅ１２３４
・セキュア印刷実施ユーザＩＤのメールアドレス：ａｂｃｄｅ１２３４＠ｄｅｆ．ｃｏｍ
とし、
・セキュア印刷ジョブを受信したことと、その管理操作方法を知らせる通知
・セキュア印刷ジョブ管理Ｗｅｂページアドレス  ｈｔｔｐｓ： //１０．４９．１８０．１３１/ａｂｃｄｅ１２３４/ｊｏｂ−Ｎｏ−１２３４５６７８９
・印刷ジョブ情報
が掲載されている。
【００４５】
以上のようにして、セキュア印刷実施ユーザは、セキュア印刷ジョブ受付メールを受信し（１８１．）、自身のセキュア印刷ジョブのセキュア印刷ジョブ管理操作を行う場合、セキュア印刷ジョブ受付メールに添付されたＷｅｂページアドレスにログインして専用となるセキュア印刷ジョブ管理Ｗｅｂページを開き、セキュア印刷ジョブ管理Ｗｅｂページ上での、自身のセキュア印刷ジョブのセキュア印刷ジョブ管理操作を行う（１８２．、１９３．）。
【００４６】
以下にそのセキュア印刷ジョブ管理操作について更に詳しく説明する。
【００４７】
（セキュア印刷ジョブの確認表示）
図１１は、前記したようにプリンタ装置１５０からセキュア印刷ジョブ受付メールが送信された後、このメールを受けたセキュア印刷実施ユーザが、専用のセキュア印刷ジョブ管理Ｗｅｂページにログインして自身のセキュア印刷ジョブ情報を表示するまでの処理の流れを示すシーケンス図である。
【００４８】
上記したように、プリンタ装置１５０からセキュア印刷実施ユーザへ送信されたセキュア印刷ジョブ受付メール（図５参照）は、ここではＰＣ１００のＥ−ｍａｉｌアプリケーション１３０によって表示されるが、このセキュア印刷ジョブ受付メールには、セキュア印刷実施ユーザ専用のセキュア印刷ジョブ管理Ｗｅｂページアドレスが記載されている（ステップＳ１０１、ステップＳ１０２）。
【００４９】
セキュア印刷実施ユーザが、同Ｗｅｂページアドレスへのアクセスを要求すると（ステップＳ１０３）、ＰＣ１００のＷｅｂブラウザアプリケーション１４０は、ネットを介してプリンタ装置１５０に対してそのセキュア印刷ジョブ管理Ｗｅｂページを表示するよう要求する（ステップＳ１０４）。プリンタ装置１５０のＷｅｂページ機能部１７０は、セキュア印刷ジョブ管理Ｗｅｂページを起動し（ステップＳ１０５）、先ず図８に示すようなログイン承認のためのログイン画面を表示し、セキュア印刷実施ユーザによるユーザＩＤ及びパスワード入力を受けるログイン認証プロセスを実施し（ステップＳ１０６、ステップＳ１０７）、ログイン認証プロセスを経たうえで、セキュア印刷実施ユーザに対応するセキュア印刷ジョブをリストアップしたセキュア印刷ジョブ管理ＷｅｂページをＰＣ１００のＷｅｂブラウザアプリケーション１４０に渡し、これを表示させる（ステップＳ１０８、ステップＳ１０９）。  
【００５０】
図９は、このときＰＣ１００に表示されるセキュア印刷ジョブ管理Ｗｅｂページの一例を示す図である。同図に示すように、このＷｅｂページには、プリンタ装置１５０が保存しているセキュア印刷ジョブのうち、ここでのセキュア印刷実施ユーザによって送られたセキュア印刷ジョブのリストが表示される。表示内容としては、対象となるセキュア印刷ジョブのドキュメント名と、それに対応する形で、「セキュア印刷実施ユーザＩＤ」、「セキュアレベル」、「状態」、「ページ数」、「ページサイズ」、「受付時刻」、「保存終了時刻」等のセキュア印刷ジョブの管理情報が表示される。ここでは、プリンタ装置１００に保存されているセキュア印刷ジョブのなかに、該当するセキュア印刷実施ユーザが送ったセキュア印刷ジョブが２件存在することを示している。
【００５１】
以上のようにセキュア印刷実施ユーザは、ＰＣ１００から新たなセキュア印刷ジョブをプリンタ装置１５０に送った際に、プリンタ装置１５０から受信確認として自身宛に送られてくるセキュア印刷ジョブ受付メールを受信し、このセキュア印刷ジョブ受付メールに添付された自身専用のセキュア印刷ジョブ管理Ｗｅｂページのアドレスにアクセスし、ログイン認証を行うことによって、専用のセキュア印刷ジョブ管理Ｗｅｂページを開いて表示させ、自身のセキュア印刷ジョブの管理状態を確認することができる。
【００５２】
（セキュア印刷ジョブの管理操作）
図１２は、前記したようにプリンタ装置１５０からセキュア印刷ジョブ受付メールが送信されたた後、このメールを受けたセキュア印刷実施ユーザが、ログインして開いた専用の印刷ジョブ管理Ｗｅｂページにて自身のセキュア印刷ジョブ情報を表示し、更にセキュア印刷ジョブ管理Ｗｅｂページ上でセキュア印刷ジョブ管理操作を行うまでの処理の流れを示すシーケンス図である。
【００５３】
同シーケンス図において、図９に示すセキュア印刷ジョブ管理ＷｅｂページをＰＣ１００の画面に表示させるまでの操作（ステップＳ１０１〜ステップＳ１０９）は、上記した図１１に示す（セキュア印刷ジョブの確認表示）のプロセスと同じなので、ここでの説明は省略する。
【００５４】
セキュア印刷実施ユーザは、図９の画面においてセキュア印刷ジョブ管理操作を行う（ステップＳ１１０）。具体的には、図９に示すセキュア印刷ジョブ管理Ｗｅｂページにおいて、リストアップされた自身のセキュア印刷ジョブのうち、例えば管理操作したいセキュア印刷ジョブの行を指定（ダブルクリック等により）することにより、図１０に示すようにダイアログボックスを開くように構成し、ここで表示される一時停止、再開、再印刷、キャンセル（削除）等のボタンを選択操作することにより、選択したセキュア印刷ジョブのジョブ管理操作を行う。
【００５５】
プリンタ装置１５０は、このセキュア印刷ジョブ管理操作による指示を受けて指示内容を実行し（ステップＳ１１１、ステップＳ１１２）、Ｗｅｂページを更新してその実行結果をジョブ管理Ｗｅｂページに表示する（ステップＳ１１３、ステップＳ１１４）。
【００５６】
尚、ここでは図示しないが、例えば表示させたダイアログボックス中のプロパティを選択して更にそのダイアログボックスを表示させることにより、印刷部数等の更なる印刷設定の追加も可能である。
【００５７】
以上のようにセキュア印刷実施ユーザは、ＰＣ１００から新たなセキュア印刷ジョブをプリンタ装置１５０に送った際に、プリンタ装置１５０から受信確認として自身宛に送られてくるセキュア印刷ジョブ受付メールを受信し、このセキュア印刷ジョブ受付メールに添付された自身専用のセキュア印刷ジョブ管理Ｗｅｂページのアドレスにアクセスし、ログイン認証を行うことによって、専用のセキュア印刷ジョブ管理Ｗｅｂページを開いて表示させ、自身のセキュアな印刷ジョブの管理状態を確認し、その管理内容を変更するためのセキュア印刷ジョブ管理操作を実行することができる。
【００５８】
（セキュア印刷ジョブの管理操作の具体例）
図１３は、プリンタ装置１５０から印刷ジョブ受付確認メールを受けたセキュア印刷実施ユーザが、印刷ジョブ管理Ｗｅｂページにて自身の印刷ジョブの管理操作である、印刷ジョブのキャンセル操作を行った時の処理の流れを示すシーケンス図である。
【００５９】
従って図１３は、図１０に示すダイアログボックスにてキャンセルを指示するセキュア印刷ジョブ管理操作を行った場合のシーケンス図に相当し、図１２のシーケンス図に示すステップＳ１１０以降の処理において、セキュア印刷ジョブ管理操作の内容が印刷ジョブのキャンセルであって、プリンタ装置１５０において、指定されたセキュア印刷ジョブのキャンセルが実行される処理の流れを示している。従って、ステップＳ２１４では、図９に示すセキュア印刷ジョブ管理Ｗｅｂページから指定されたセキュア印刷ジョブ「お客様への報告書」のリストが削除されたセキュア印刷ジョブ管理Ｗｅｂページが表示される。
【００６０】
ジョブ管理の内容が一時停止、再開、再印刷等の場合も、同様の手順に基づいて処理される。
【００６１】
（セキュア印刷ジョブ保存終了警告の処理）
次に、図４（ｂ）を参照しながら、プリンタ装置１５０が保存管理するセキュア印刷ジョブの何れかが、保存期限が近づいた際のセキュア印刷ジョブ管理システムの動作について説明する。
【００６２】
プリンタ装置１５０は、すでに保存管理している個々のセキュア印刷ジョブについては、これを受信した時刻を記録すると共に、この受信時刻から所定時間経過した保存終了時刻を設定し、保存終了時刻までそのセキュア印刷ジョブを保存し、保存終了時刻を経過したセキュア印刷ジョブについては削除するように構成されている。また前記したように、すでに保存管理する個々のセキュア印刷ジョブについては、これに対応するセキュア印刷実施ユーザのＩＤ、Ｅ−ｍａｉｌアドレス、及び同じセキュア印刷実施ユーザに属するセキュア印刷ジョブをリストアップした専用のセキュア印刷ジョブ管理Ｗｅｂページを所有するものである。
【００６３】
保存管理するセキュア印刷ジョブの保存終了時刻が近づくと、プリンタ装置１５０のＥ−ｍａｉｌ送受信機能部１６０は、そのセキュア印刷ジョブを作成したセキュア印刷実施ユーザのＥ−ｍａｉｌアドレス宛に、セキュア印刷ジョブ保存終了警告メールを送信する（１９４．）。この印刷ジョブ保存終了警告メールには、セキュア印刷実施ユーザ専用となるセキュア印刷ジョブ管理Ｗｅｂページのアドレスが添付され、保存中のセキュア印刷ジョブの中に保存終了時刻が迫っているものがある旨のコメント、及びセキュア印刷ジョブ管理操作を行う場合は、添付したセキュア印刷ジョブ管理Ｗｅｂページアドレスにログインする旨のコメントが記載される。
【００６４】
図６は、この時のセキュア印刷ジョブ保存終了警告メールの記述例を示す図である。同図に示すように、このセキュア印刷ジョブ保存終了警告メールでは、
・セキュア印刷実施ユーザＩＤ：ａｂｃｄｅ１２３４
・セキュア印刷実施ユーザのメールアドレス：ａｂｃｄｅ１２３４＠ｄｅｆ．ｃｏｍ
とし、
・セキュア印刷ジョブの保存終了が近いことと、その管理操作方法を知らせる通知
・セキュア印刷ジョブ管理Ｗｅｂページアドレス  ｈｔｔｐｓ：//１０．４９．１８０．１３１/ａｂｃｄｅ１２３４/ｊｏｂ−Ｎｏ−１２３４５６７８９
・印刷ジョブ情報
が掲載されている。
【００６５】
以上のようにして、セキュア印刷実施ユーザは、セキュア印刷ジョブ保存終了警告メールを受信し（１８３．）、自身のセキュア印刷ジョブのセキュア印刷ジョブ管理操作を行う場合、セキュア印刷ジョブ受付メールに添付されたＷｅｂページアドレスにログインして専用となるセキュア印刷ジョブ管理Ｗｅｂページを開き、セキュア印刷ジョブ管理Ｗｅｂページ上での、自身のセキュア印刷ジョブのセキュア印刷ジョブ管理操作を行う（１８４．、１９５．）。  
【００６６】
以下にそのセキュア印刷ジョブ管理操作について更に詳しく説明する。
【００６７】
図１４は、前記したようにプリンタ装置１５０からセキュア印刷ジョブ保存終了警告メールが送信された後、このメールを受けたセキュア印刷実施ユーザが、専用のセキュア印刷ジョブ管理Ｗｅｂページにログインして自身のセキュア印刷ジョブの保存終了時刻を変更するためのセキュア印刷ジョブ管理操作を行うまでの処理の流れを示すシーケンス図である。
【００６８】
上記したように、プリンタ装置１５０からセキュア印刷実施ユーザへ送信されたセキュア印刷ジョブ保存終了警告メール（図６参照）は、ここではＰＣ１００のＥ−ｍａｉｌアプリケーション１３０によって表示されるが、このセキュア印刷ジョブ保存終了警告メールには、セキュア印刷実施ユーザ専用のセキュア印刷ジョブ管理Ｗｅｂページアドレスが記載されている（ステップＳ３０１、ステップＳ３０２）。
【００６９】
セキュア印刷実施ユーザが、同Ｗｅｂページアドレスへのアクセスを要求すると（ステップＳ３０３）、ＰＣ１００のＷｅｂブラウザアプリケーション１４０は、ネットを介してプリンタ装置１５０に対してそのセキュア印刷ジョブ管理Ｗｅｂページを表示するよう要求する（ステップＳ３０４）。プリンタ装置１５０のＷｅｂページ機能部１７０は、セキュア印刷ジョブ管理Ｗｅｂページを起動し（ステップＳ３０５）、先ず図８に示すようなログイン承認のためのログイン画面を表示し、セキュア印刷実施ユーザによるユーザＩＤ及びパスワード入力を受けるログイン認証プロセスを実施し（ステップＳ３０６、ステップＳ３０７）、ログイン認証プロセスを経たうえで、セキュア印刷実施ユーザに対応するセキュア印刷ジョブをリストアップしたセキュア印刷ジョブ管理ＷｅｂページをＰＣ１００のＷｅｂブラウザアプリケーション１４０に渡し、これを表示させる（ステップＳ３０８、ステップＳ３０９）。  
【００７０】
図９は、このときＰＣ１００に表示されるセキュア印刷ジョブ管理Ｗｅｂページの一例を示す図である。同図に示すように、このＷｅｂページには、プリンタ装置１５０が保存しているセキュア印刷ジョブのうち、ここでのセキュア印刷実施ユーザによって送られたセキュア印刷ジョブのリストが表示される。表示内容としては、対象となるセキュア印刷ジョブのドキュメント名と、それに対応する形で、「セキュア印刷実施ユーザＩＤ」、「セキュアレベル」、「状態」、「ページ数」、「ページサイズ」、「受付時刻」、「保存終了時刻」等のセキュア印刷ジョブの管理情報が表示される。ここでは、プリンタ装置１００に保存されているセキュア印刷ジョブのなかに、該当するセキュア印刷実施ユーザが送ったセキュア印刷ジョブが２件存在することを示している。
【００７１】
セキュア印刷実施ユーザは、図９の画面において該当するセキュア印刷ジョブの保存終了時刻を変更するセキュア印刷ジョブ管理操作を行う（ステップＳ３１０）。
【００７２】
具体的には、図９に示すセキュア印刷ジョブ管理Ｗｅｂページにおいて、リストアップされた自身のセキュア印刷ジョブのうち、例えば管理操作したいセキュア印刷ジョブの行であって、保存終了時刻の列のセルを指定（ダブルクリック等により）し、該当する保存終了時刻を所望の時刻まで延長するためのセキュア印刷ジョブ管理操作を行う。
【００７３】
プリンタ装置１５０は、このセキュア印刷ジョブ管理操作による保存終了時刻の延長指示を受けて指示内容を実行し（ステップＳ３１１、ステップＳ３１２）、Ｗｅｂページを更新してその実行結果をジョブ管理Ｗｅｂページに表示する（ステップＳ３１３、ステップＳ３１４）。
【００７４】
以上のようにセキュア印刷実施ユーザは、プリンタ装置１５０が保存する、自身が送ったセキュア印刷ジョブの中で、保存終了間近のセキュア印刷ジョブがあると、プリンタ装置１５０から、セキュア印刷ジョブ保存終了警告メールを受信し、このセキュア印刷ジョブ保存終了警告メールに添付された自身専用のセキュア印刷ジョブ管理Ｗｅｂページのアドレスにアクセスし、ログイン認証を行うことによって、専用のセキュア印刷ジョブ管理Ｗｅｂページを開いて表示させ、自身のセキュア印刷ジョブの管理状態を確認し、対象となるセキュア印刷ジョブの保存終了時刻を変更するためのセキュア印刷ジョブ管理操作を実行することができる。
【００７５】
（セキュア印刷ジョブに関するエラー発生時の処理）
次に、図４（ｃ）を参照しながら、プリンタ装置１５０が保存管理するセキュア印刷ジョブの何れかにエラーが発生した際のセキュア印刷ジョブ管理システムの動作について説明する。
【００７６】
プリンタ装置１５０は、前記したように、すでに保存管理する個々のセキュア印刷ジョブについては、これに対応するセキュア印刷実施ユーザのＩＤ、Ｅ−ｍａｉｌアドレス、及び同じセキュア印刷実施ユーザに属するセキュア印刷ジョブをリストアップした専用のセキュア印刷ジョブ管理Ｗｅｂページを所有するものである。  
【００７７】
保存管理するセキュア印刷ジョブの何れかにエラーが発生すると、プリンタ装置１５０のＥ−ｍａｉｌ送受信機能部１６０は、そのセキュア印刷ジョブを作成したセキュア印刷実施ユーザのＥ−ｍａｉｌアドレス宛に、セキュア印刷ジョブエラー発生確認メールを送信する（１９６．）。このセキュア印刷ジョブエラー発生確認メールには、セキュア印刷実施ユーザ専用となるセキュア印刷ジョブ管理Ｗｅｂページのアドレスが添付され、保存中のセキュア印刷ジョブの中にエラーが発生しているものがある旨のコメント、及びセキュア印刷ジョブ管理操作を行う場合は、添付したセキュア印刷ジョブ管理Ｗｅｂページアドレスにログインする旨のコメントが記載される。
【００７８】
図７は、この時のセキュア印刷ジョブエラー発生確認メールの記述例を示す図である。同図に示すように、このセキュア印刷ジョブエラー発生確認メールでは、
・セキュア印刷実施ユーザＩＤ：ａｂｃｄｅ１２３４
・セキュア印刷実施ユーザのメールアドレス：ａｂｃｄｅ１２３４＠ｄｅｆ．ｃｏｍ
とし、
・セキュア印刷ジョブにエラーが発生していることと、その管理操作方法を知らせる通知
・セキュア印刷ジョブ管理Ｗｅｂページアドレス  ｈｔｔｐｓ： //１０．４９．１８０．１３１/ａｂｃｄｅ１２３４/ｊｏｂ−Ｎｏ−１２３４５６７８９
・印刷ジョブ情報
が掲載されている。
【００７９】
以上のようにして、セキュア印刷実施ユーザは、セキュア印刷ジョブエラー発生確認メールを受信し（１８５．）、自身のセキュア印刷ジョブのセキュア印刷ジョブ管理操作を行う場合、セキュア印刷ジョブ受付メールに添付されたＷｅｂページアドレスにログインして専用となるセキュア印刷ジョブ管理Ｗｅｂページを開き、セキュア印刷ジョブ管理Ｗｅｂページ上での、自身のセキュア印刷ジョブのセキュア印刷ジョブ管理操作を行う（１８６．、１９７．）。
【００８０】
以下にそのセキュア印刷ジョブ管理操作について更に詳しく説明する。 
図１５は、前記したようにプリンタ装置１５０からセキュア印刷ジョブエラー発生確認メールが送信された後、このメールを受けたセキュア印刷実施ユーザが、専用のセキュア印刷ジョブ管理Ｗｅｂページにログインして自身のセキュア印刷ジョブのエラー対策を施すためのセキュア印刷ジョブ管理操作を行うまでの処理の流れを示すシーケンス図である。
【００８１】
上記したように、プリンタ装置１５０からセキュア印刷実施ユーザへ送信されたセキュア印刷ジョブエラー発生確認メール（図７参照）は、ここではＰＣ１００のＥ−ｍａｉｌアプリケーション１３０によって表示されるが、このセキュア印刷ジョブエラー発生確認メールには、セキュア印刷実施ユーザ専用のセキュア印刷ジョブ管理Ｗｅｂページアドレスが記載されている（ステップＳ４０１、ステップＳ４０２）。
【００８２】
セキュア印刷実施ユーザが、同Ｗｅｂページアドレスへのアクセスを要求すると（ステップＳ４０３）、ＰＣ１００のＷｅｂブラウザアプリケーション１４０は、ネットを介してプリンタ装置１５０に対してそのセキュア印刷ジョブ管理Ｗｅｂページを表示するよう要求する（ステップＳ４０４）。プリンタ装置１５０のＷｅｂページ機能部１７０は、セキュア印刷ジョブ管理Ｗｅｂページを起動し（ステップＳ４０５）、先ず図８に示すようなログイン承認のためのログイン画面を表示し、セキュア印刷実施ユーザによるユーザＩＤ及びパスワード入力を受けるログイン認証プロセスを実施し（ステップＳ４０６、ステップＳ４０７）、ログイン認証プロセスを経たうえで、セキュア印刷実施ユーザに対応するセキュア印刷ジョブをリストアップしたセキュア印刷ジョブ管理ＷｅｂページをＰＣ１００のＷｅｂブラウザアプリケーション１４０に渡し、これを表示させる（ステップＳ４０８、ステップＳ４０９）。    
【００８３】
図９は、このときＰＣ１００に表示されたセキュア印刷ジョブ管理Ｗｅｂページの一例を示す図である。同図に示すように、このＷｅｂページには、プリンタ装置１５０が保存しているセキュア印刷ジョブのうち、ここでのセキュア印刷実施ユーザによって送られたセキュア印刷ジョブのリストが表示される。表示内容としては、対象となるセキュア印刷ジョブのドキュメント名と、それに対応する形で、「セキュア印刷実施ユーザＩＤ」、「セキュアレベル」、「状態」、「ページ数」、「ページサイズ」、「受付時刻」、「保存終了時刻」等のセキュア印刷ジョブの管理情報が表示される。ここでは、プリンタ装置１００に保存されているセキュア印刷ジョブのなかに、該当するセキュア印刷実施ユーザが送ったセキュア印刷ジョブが２件存在することを示している。
【００８４】
セキュア印刷実施ユーザは、図９の画面において該当するセキュア印刷ジョブのエラー対策のためのセキュア印刷ジョブ管理操作を行う（ステップＳ４１０）。
【００８５】
具体的には、このとき、プリンタ装置１５０のＷｅｂページ機能部１７０は、図９に示すジョブ管理Ｗｅｂページにおいて、例えば保存容量不足でジョブの受信エラーが生じたセキュア印刷ジョブ、印刷エラーが生じたセキュア印刷ジョブなどの何らかのエラーが生じたセキュア印刷ジョブを赤色表示するなど、セキュア印刷実施ユーザによって識別可能に表示する。セキュア印刷実施ユーザは、エラーが発生しているセキュア印刷ジョブや、保存されているセキュア印刷ジョブの内、優先順位が低いセキュア印刷ジョブをキャンセル（削除）するなどのエラー対策のためのセキュア印刷ジョブ管理操作を行う。
【００８６】
プリンタ装置１５０は、このセキュア印刷ジョブ管理操作によるエラー対策のための変更指示を受けて指示内容を実行し（ステップＳ４１１、ステップＳ４１２）、Ｗｅｂページを更新してその実行結果をジョブ管理Ｗｅｂページに表示する（ステップＳ４１３、ステップＳ４１４）。
【００８７】
以上のようにセキュア印刷実施ユーザは、プリンタ装置１５０が保存する、自身が送ったセキュア印刷ジョブの中で、エラーが生じたセキュア印刷ジョブがあると、プリンタ装置１５０から、セキュア印刷ジョブエラー発生確認メールを受信し、このセキュア印刷ジョブエラー発生確認メールに添付された自身専用の印刷ジョブ管理Ｗｅｂページのアドレスにアクセスし、ログイン認証を行うことによって、専用のセキュア印刷ジョブ管理Ｗｅｂページを開いて表示させ、自身のセキュア印刷ジョブの管理状態を確認し、エラー対策のためのセキュア印刷ジョブ管理操作を実行することができる。
【００８８】
以上のように、本実施の形態のプリンタ装置によれば、セキュア印刷実施ユーザが、自身専用のセキュア印刷ジョブ管理Ｗｅｂページにアクセスし、更にログイン認証を行うことによって専用のセキュア印刷ジョブ管理Ｗｅｂページを開き、プリンタ装置に保存されているセキュア印刷ジョブの内、セキュア印刷実施ユーザが送ったセキュア印刷ジョブリストを表示させ、セキュア印刷ジョブ管理操作を行うことができるので、プリンタ装置から離れた場所において、セキュア印刷実施ユーザ本人のみが可能なセキュア印刷ジョブ管理操作を実施できる。
【００８９】
また、他のＰＣのユーザは元より、他のユーザとＰＣを共有使用している場合であっても、セキュア印刷実施ユーザ本人のみが知り得るＩＤとパスワードで専用のセキュア印刷ジョブ管理Ｗｅｂページにログインする為、セキュア印刷実施ユーザ本人のみが可能なセキュア印刷ジョブ管理操作を実施できる。
【産業上の利用可能性】
【００９０】
尚、前記した実施の形態では、本願発明をプリンタ装置に採用した例を示したが、これに限定されるものではなく、他にもＭＦＰ（Ｍｕｌｔｉ  Ｆｕｎｃｔｉｏｎ  Ｐｒｉｎｔｅｒ）やファクシミリ、複写機等にも利用できる。
【符号の説明】
【００９１】
１００  ＰＣ、  １０１  アプリケーションプログラム（ＡＰ）、  １０２  印刷設定部、  １０３  印刷描画部、  １１０  プリンタドライバ、  １１１  ドライバ設定部、  １１２  描画データ解析部、  １１３  描画データ生成部、  １１４  描画データ出力部、  １２０  オペレーティングシステム（ＯＳ）、  １２１  ＯＳカーネル制御部、  １２２  印刷制御エンジン（ＧＤＩ／ＤＤＩ）部、  １２３  プリントスプーラ、  １３０  ｅ−ｍａｉｌアプリケーション、  １３１  ｅ−Ｍａｉｌ受信管理部、  １３２  ｅ−Ｍａｉｌ送信管理部、  １３３  ｅ−Ｍａｉｌ内容編集制御部、  １４０  Ｗｅｂブラウザアプリケーション、  １４１Ｗｅｂ表示管理部、  １４２  Ｗｅｂアクセス管理部、  １５０  プリンタ装置、  １５１  データ受信部、  １５２  データ展開部、  １５３  印刷制御部、  １６０  Ｅ−ｍａｉｌ送受信機能部、  １６１  Ｅ−ｍａｉｌ内容編集制御部、  １６２  Ｅ−ｍａｉｌ送受信管理部、  １７０  Ｗｅｂｐａｇｅ機能部、  １７１  Ｗｅｂｐａｇｅ表示管理部、  １７２  セキュア印刷管理部、  １７３  ジョブ管理指示制御部。
【図１】
2017042990.tif 000003
【図２】
2017042990.tif 000004
【図３】
2017042990.tif 000005
【図４】
2017042990.tif 000006
【図５】
2017042990.tif 000007
【図６】
2017042990.tif 000008
【図７】
2017042990.tif 000009
【図８】
2017042990.tif 000010
【図９】
2017042990.tif 000011
【図１０】
2017042990.tif 000012
【図１１】
2017042990.tif 000013
【図１２】
2017042990.tif 000014
【図１３】
2017042990.tif 000015
【図１４】
2017042990.tif 000016
【図１５】
2017042990.tif 000017